(57)【要約】【課題】  本発明は、超高層ビルの高層階、低層階においても常に負荷電流が平滑化されうる分岐付ケーブルを提供することである。【解決手段】  複数の幹線ケーブルからなり、それぞれのケーブルは少なくとも１カ所で各々の幹線ケーブルの負荷電流を分流させるために結線されており、各幹線ケーブルには消費電力側に給電するために夫々少なくとも２ヶ所以上の分岐された支線ケーブルを有した分岐付ケーブルを複数階層を有する建物の各階に布設する方法であって、一方の幹線ケーブルから分岐された夫々の支線ケーブルは、複数階層の各階に１階以上飛ばしで布設され、他方の幹線ケーブルから分岐された支線ケーブルは、１階以上飛ばしされた階層に支線ケーブルを有する分岐付ケーブルを布設することによって、負荷電流が平滑化が図れる。【選択図】図１  
2005100878.tif 000002
【特許請求の範囲】
【請求項１】
複数の幹線ケーブルからなり、それぞれのケーブルは少なくとも１カ所で各々の幹線ケーブルの負荷電流を分流させるために結線されており、各幹線ケーブルには消費電力側に給電するために夫々少なくとも２ヶ所以上の分岐された支線ケーブルを有していることを特徴とする分岐付ケーブル。
【請求項２】
複数の幹線ケーブルは結束材により結束されてなる請求項１に記載の分岐付ケーブル。
【請求項３】
複数の幹線ケーブルからなり、それぞれのケーブルは少なくとも１カ所で各々の幹線ケーブルの負荷電流を分流させるために結線されており、各幹線ケーブルには消費電力側に給電するために夫々少なくとも２ヶ所以上の分岐された支線ケーブルを有した分岐付ケーブルを複数階層を有する建物の各階に布設する方法であって、一方の幹線ケーブルから分岐された夫々の支線ケーブルは、複数階層の各階に１階以上飛ばしで布設され、他方の幹線ケーブルから分岐された支線ケーブルは、１階以上飛ばしされた階層に支線ケーブルを布設する分岐付ケーブルの布設方法。
【請求項４】
各幹線ケーブルの負荷電流を分流させるための結線は、上階側に設けられたことを特徴とする請求項３に記載の分岐付ケーブルの布設方法。
【発明の詳細な説明】
【技術分野】
【０００１】
本発明は、主にマンション、オフィッスビルなどの高層ビルに布設される分岐付ケーブルに関するもので、さらに詳しくは幹線ケーブルの負荷電流を平滑化することができる分岐付ケーブルに関する。
【背景技術】
【０００２】
マンション、オフィッスビルなどの高層ビルに布設されているケーブルとして分岐付ケーブルがある。分岐付ケーブルは幹線ケーブルと幹線ケーブルから分岐された支線ケーブルとを有している。 高層ビルにて分岐付ケーブルを引き込み使用する場合について、図２に説明する。幹線ケーブル２は電力供給幹線ケーブル１とブレーカー３により接続されている。幹線ケーブルの先端部４は、高層階ビルの最上階付近まで垂直に懸架され、固定されている。そして、最上階付近まで垂直懸架された幹線ケーブル２より分岐された複数本の支線ケーブル１０、９、８、７は各階に引き込まれ、各階のフロアー１０Ｆ、９Ｆ、８Ｆ、７Ｆにて家電、ＯＡ機器などの電気機器に給電をしている。この図では、支線ケーブル１０は、最上階である１０Ｆに給電、支線ケーブル９は９Ｆに給電、支線ケーブル８は８Ｆに給電し、幹線ケーブルから分岐された支線ケーブルの各々が各階に配線されている。例えばビル内布設ケーブルに関する技術としては、下記の公知文献がある。
【０００３】
【特許文献１】特開昭６３−６５２７６号公報
【特許文献２】特開昭６２−１０７６１４号公報
【０００４】
このような分岐付ケーブルを高層ビルの給電線としてに用いると、以下のような問題が生じる。すなわち、幹線ケーブルから供給された電力は、各支線ケーブルにて各階層の電気機器に給電されるが、電流は、まず１Ｆ、２Ｆなどの低層階に設置されている電機機器に給電されて電力を消費しているので、低階層では負荷電流は大きいが、上層階では低階層で電力消費される分、負荷電流が小さくなる傾向にある。電流の負荷が少なければ、幹線ケーブルに流れる電流も少なくなるため、幹線ケーブルのサイズ、さらに詳しくは導体の大きさを低減させた設計ができる。このため、高層ビル内に布設される幹線ケーブルを高層階側ほど先細りさせるようにタケノコ状にサイズダウンした形態が考えられる。この場合、下層階には大サイズの幹線ケーブルを用い、電流負荷の小さくなる上層階に小サイズの幹線ケーブルを用いて、これらを順次接続すれば良い。ところが、このような形態を採用すれば接続部を増加させることになり、かえって布設工事を複雑化させると共に、コスト的にも高価になる。また、給電供給の信頼性から、日本電線工業会の規格では、ビル内の幹線ケーブルにおいては接続は認められていない。
【０００５】
このため、従来は、図３に示すように高層階用の幹線ケーブルと低層階用の幹線ケーブルとの２本の幹線ケーブル２１、２２を布設し、高層階用幹線ケーブル２１は、最上階付近で垂直懸架して、上層階側の最上階２１０Ｆに支線ケーブル２１０で給電、その下の階の２０９Ｆに支線ケーブル２０９で給電している。一方、低層階用幹線ケーブル２２はその先端部を高層階の高さ方向でのおおよそ中間位置Ｂまで垂直懸架し、その下層階に２０５Ｆに支線ケーブル２０５で給電、２０４Ｆの階には支線ケーブル２０４で給電で給電している。このような幹線ケーブルの２条タイプの配電方法とすれば、低層階にて電流負荷があっても、高層階への給電には影響されず、また、２つの幹線ケーブルとしているため、夫々の幹線ケーブルのサイズを小さくすることができる。例えば、先の図２で説明した幹線ケーブル１条タイプであれば導体サイズが３２５ｍｍ2としてところを、図３に示したように高層階用、低層階用の幹線ケーブルの２条化することで、同じ電力容量を維持しながら導体サイズを夫々１５０ｍｍ2に低減することが可能となる。
しかしながら、昨今の３０階以上もある超高層ビルにおいては、幹線ケーブル２条タイプであっても、１つの幹線ケーブルで負担している階層数が増加するため、結局、前述した幹線ケーブル１条タイプと実質的に同じとなり、電流負荷の分散化が困難となってしまう。幹線ケーブルを２条以上に増設してケーブル１条で負担する階層を一定の階数まで低減させる方法もあるが、幹線ケーブル本数が多くなるため、布設の点も問題が生じ、また布設工程も煩雑になる問題がある。
【発明の開示】
【発明が解決しようとする課題】
【０００６】
本発明は、従来の２条タイプの幹線ケーブルでは、超高層化されたビルに布設された場合に、高層階と低層階との間で負荷電流の分散が十分にできないという課題を解決するためになされたものであって、その目的とするところは、超高層ビルの高層階、低層階においても常に負荷電流が平滑化されうる分岐付ケーブルを提供することである。
【課題を解決するための手段】
【０００７】
本発明者らは、上記課題を解決するため鋭意検討を行った結果、本発明を完成するに至った。即ち、本発明は以下のとおりである。
（１）複数の幹線ケーブルからなり、ケーブルは少なくとも１カ所で各々の幹線ケーブルの負荷電流を分流させるために結線されており、各幹線ケーブルには消費電力側に給電するために夫々少なくとも２ヶ所以上の分岐された支線ケーブルを有していることを特徴とする分岐付ケーブル。
（２）２条の幹線ケーブルは結束材により結束されてなる上記（１）に記載の分岐付ケーブル。
（３）複数の幹線ケーブルからなり、それぞれのケーブルは少なくとも１カ所で各々の幹線ケーブルの負荷電流を分流させるために結線されており、各幹線ケーブルには消費電力側に給電するために夫々少なくとも２ヶ所以上の分岐された支線ケーブルを有した分岐付ケーブルを複数階層を有する建物の各階に布設する方法であって、一方の幹線ケーブルから分岐された夫々の支線ケーブルは、複数階層の各階に１階以上飛ばしで布設され、他方の幹線ケーブルから分岐された支線ケーブルは、１階以上飛ばしされた階層に支線ケーブルを布設する分岐付ケーブルの布設方法。
（４）各幹線ケーブルの負荷電流を分流させるための結線は、上階側に設けられたことを特徴とする上記（３）に記載の分岐付ケーブルの布設方法。
【発明の効果】
【０００８】
本発明によれば、負荷に応じて幹線ケーブルの負荷電流を分流させることができるので、ケーブルサイズを必要以上に大サイズ化をしなくてもよい。 さらには、ケーブル重量が軽減されるため垂直に懸架されたケーブルの引止め金具、固定金具などの治具を簡略化することができる。また、複数の幹線ケーブルとしているので、熱放散特性が向上し、合計断面積が同一な１条の幹線ケーブルより許容電流が大きくなる。
【発明を実施するための最良の形態】
【０００９】
以下、本発明の分岐付ケーブルについて図１を用いて説明する。
図１は、高層階ビルに本発明の分岐付ケーブルを布設した場合の概念図である。幹線給電ケーブル３０にブレーカー３１を介してビル布設用の２条の幹線ケーブル３２、３３が接続されている。分岐付ケーブルは幹線ケーブル３２、３３の２条からなり、その先端には、プーリングと呼ばれるケーブル牽引金具（図示ぜず）が取り付けられて、ビル内へのケーブル引き込みは、ケーブル牽引金具をビル内の最上階まで牽引した後、最上階の固定部３４に固定される。幹線ケーブル３３から分岐された支線ケーブル３１０は、最上階の３１０Ｆに引き込まれている。そして、幹線ケーブル３３の支線ケーブル３０８は、最上階から１階飛ばしで３０８Ｆの階に、幹線ケーブル３３の支線ケーブル３０６は、３０８Ｆの階から１階飛ばしで３０６Ｆの階に配線されている。このように、１条の幹線ケーブルからは、１階飛ばしで支線ケーブルが配線されている。一方、幹線ケーブル３２から分岐された支線ケーブル３０９は、３０９Ｆの階に引き込まれている。そして、３０９Ｆの階層から１階飛ばした３０７Ｆの階層に幹線ケーブルの支線ケーブル３０７が引き込まれ、３０５Ｆの階層には支線ケーブル３０５が配線されている。なお、図１では、幹線ケーブルは２条として説明しているが、幹線ケーブルは、３条、４条であっても差し支えない。幹線ケーブルは結束材にて結束することが布設の点で好ましい。また、１条の幹線ケーブルからは、１階飛ばしで支線ケーブルが配線されているが、２階飛ばし、３階飛ばしなど、１階以上飛ばししてもよい。
【００１０】
このように、それぞれの幹線ケーブルから１階飛ばしで支線ケーブルを各階に配線することで、分岐部分が重ならず、１条の場合と同様に、床貫通口を無理なくスムーズに通すことができる。すなわち、複数幹線で布設されたとしても、１階以上飛ばしでスキップして分岐しているため、階当たり２つの分岐部が発生して分岐部大きくなるようなことはない。
【００１１】
幹線ケーブル３２と幹線ケーブル３３とは、上層階部３５と中間階層部３６の２ヶ所で結線されている。図示された態様では、結線は最上階へ分岐している支線ケーブル３１０よりも上方部で結線されている。一般に、最上階に向かうほど電流負荷が少なくなるため、できるだけ上方部で結線することが好ましい。また、中間階層部３６の付近で結線しても構わない。３０階以上の超高層ビルなどに使用される場合には、電力負荷平滑化のためには上層階部及び中層階部での結線好ましい。図１で示したように、上層階、及び中間階の２ヶ所で結線された場合には、例えば、低層階３０１Ｆ、３０３Ｆにて大量の電力消費され幹線ケーブル３３の上層階側では電流負荷が軽減された場合には、結線３５、３６を介して幹線ケーブル３２の電流が分流される。一方、上層階３０９Ｆ、３０７Ｆにて大量の電力消費された場合には、幹線ケーブル３３より結線３６を介して、電流が幹線ケーブル３２に供給される。なお、ケーブル同士の結線方法は公知な方法を用いればよいが、例えば、結線部も各階への分岐線と同じ手法で電線を引き出しておいて、圧縮スリーブ等で直線接続するとなった接続方法が挙げられる。
【産業上の利用可能性】
【００１２】
本発明の分岐付ケーブルの用途には特には限定はないが、ビル、高層マンションだけでなく、ショッピングセンターへの各店舗への配電線にも利用することができる。
【図面の簡単な説明】
【００１３】
【図１】本発明の分岐付ケーブルをビル内に布設した場合の模式図である。
【００１４】
【図２】従来の分岐付ケーブルをビル内に布設した場合の模式図である。
【００１５】
【図３】従来の分岐付ケーブルをビル内に布設した場合の模式図である。
【符号の説明】
【００１６】
１  電力供給幹線ケーブル
２  幹線ケーブル
３  ブレーカー
７,８，９，１０  支線ケーブル
３２，３３  幹線ケーブル
３４  固定部
３４、３５  結線
【図１】
2005100878.tif 000003
【図２】
2005100878.tif 000004
【図３】
2005100878.tif 000005